(57)【要約】【課題】複数の排水支管の接続を容易に行うことができ、コンパクトで、床下への設置も容易な宅内排水枡を提供する。【解決手段】建物内に設置された各種排水設備からの排水を、建物床下内で合流して排水主管に排水する宅内排水枡であって、有底筒状の枡本体１２に、排水主管に接続される排水主管接続部１５と、排水設備からの各排水支管に可撓性管継手２４を介して接続される複数の排水支管接続部２５〜２９とを設け、該複数の排水支管接続部を、前記排水主管接続部よりも高位置に設けるとともに、枡本体周面の異なる方向及び異なる高さに配置している。【選択図】    図１
2005023652.tif 000002
【特許請求の範囲】
【請求項１】
建物内に設置された各種排水設備からの排水を、建物床下内で合流して排水主管に排水する宅内排水枡であって、有底筒状の枡本体に、排水主管を接続する排水主管接続部と、複数の排水設備からの各排水支管を可撓性管継手を介して接続する複数の排水支管接続部とを設け、該複数の排水支管接続部を、前記排水主管接続部よりも高位置に設けるとともに、枡本体外面の異なる方向及び異なる高さに配置したことを特徴とする宅内排水枡。
【発明の詳細な説明】
【０００１】
【発明の属する技術分野】
本発明は、宅内排水枡に関し、詳しくは、個人用住宅や小規模集合住宅（アパート）における洗面所や台所等からの排水を建物の基礎内で集合して排水主管に排水するために用いる宅内排水枡に関する。
【０００２】
【従来の技術】
個人用住宅や小規模集合住宅において、トイレ、洗面所、洗濯機、浴室、台所等の各種排水設備で発生した排水を建物の外部に設置した排水主管に導くため排水システムとして、各排水設備に接続した各排水支管を建物の床下に配置したヘッダーに集合させ、このヘッダーを建物の基礎を貫通する排水主管に接続するようにしたものが知られている（例えば、特許文献１参照。）。
【０００３】
【特許文献１】
特開２００２−６１２４８号公報
【０００４】
【発明が解決しようとする課題】
しかし、従来の排水システムでは、前記ヘッダーとして、複数個の硬質塩ビ製Ｙ継手を直列に接続したものを用いているため、多くの部品を必要とし、各部品を接続する作業が面倒であるだけでなく、その長さが１ｍ近くなることがあるため、大きな設置スペースを必要とし、水勾配を考慮した設置作業も面倒であった。
【０００５】
そこで本発明は、複数の排水支管の接続を容易に行うことができ、コンパクトで、床下への設置も容易な宅内排水枡を提供することを目的としている。
【０００６】
【課題を解決するための手段】
上記目的を達成するため、本発明の宅内排水枡は、建物内に設置された各種排水設備からの排水を、建物床下内で合流して排水主管に排水する宅内排水枡であって、有底筒状の枡本体に、排水主管に接続される排水主管接続部と、排水設備からの各排水支管に可撓性管継手を介して接続される複数の排水支管接続部とを設け、該複数の排水支管接続部を、前記排水主管接続部よりも高位置に設けるとともに、枡本体外面の異なる方向及び異なる高さに配置したことを特徴としている。
【０００７】
【発明の実施の形態】
図１乃至図３は、本発明の宅内排水枡の一形態例を示すもので、図１は正面図、図２は平面図、図３は断面側面図、図４は排水主管接続用の可撓性管継手を示す一部断面正面図、図５は排水支管接続用の可撓性管継手を示す断面正面図、図６は宅内排水枡の使用例を示す排水設備の概略平面図、図７は同じく概略正面図である。
【０００８】
宅内排水枡１０は、底蓋１１により底部を閉塞した円筒状の枡本体１２に、排水主管１３を可撓性管継手１４を介して接続する排水主管接続部１５と、各排水設備１６〜１９からの各排水支管２０〜２３を可撓性管継手２４を介して接続する５箇所の排水支管接続部２５〜２９とを設けている。また、枡本体１２の上部開口は、着脱可能な蓋３０によって閉塞されている。なお、本形態例では、排水主管１３の口径は７５ｍｍであり、各排水支管２０〜２３の口径は５０ｍｍである。
【０００９】
前記排水主管接続部１５は、底蓋１１の上面に接するようにして枡本体１２内に開口しており、枡内に汚物等が滞留することがないようにしている。また、各排水支管接続部２５〜２９は、前記排水主管接続部１５よりも高位置に設けられており、排水主管側から排水支管側への排水の逆流を防止するようにしている。５箇所の排水支管接続部は、枡本体外面において、排水主管接続部１５に対向した位置に１箇所、排水主管接続部１５に対して直交する方向に上下２箇所ずつ、それぞれ設けられている。
【００１０】
各接続部には、前記可撓性管継手１４，２４を接続するための接続管３１，３２が枡本体１２から突出しており、前記可撓性管継手１４，２４は、その端部に形成した受口１４ａ，２４ａに前記接続管３１，３２を挿入し、外周をバンド３３で締め付けることによって枡本体１２に接続されている。なお、排水主管接続部１５の接続管３１は排水主管１３と同一口径であり、各排水支管接続部の接続管３２は排水支管と同一口径となっている。
【００１１】
両可撓性管継手１４，２４の両端部外周面には、前記バンド３３を装着するためのバンド装着部１４ｂ，２４ｂがそれぞれ設けられるとともに、中間部には補強用の厚肉部１４ｃ，２４ｃが所定間隔で設けられている。排水主管１３を接続する可撓性管継手１４は、排水主管１３と同一の内径を有しており、その両端に、内径を排水主管１３の外径と略同一とした大径の前記受口１４ａがそれぞれ設けられている。
【００１２】
一方、排水支管を接続するための可撓性管継手２４は、排水支管の外径に略等しい内径を有するものであって、その一端に前記受口２４ａが形成されている。この受口２４ａは、その軸線が可撓性管継手２４の軸線に対して下方にオフセットしており、この受口２４ａに前記接続管３１を挿入したときに、該接続管３１の下部内周面と、可撓性管継手２４の下部内周面とが面一になるようにしている。したがって、この可撓性管継手２４は、枡本体１２への接続方向及び上下方向が規定されており、可撓性管継手２４の外周面の一部に平面部２４ｄを設け、この平面部２４ｄに、上部側であることの表示２４ｅ及び流れ方向（排水枡接続方向）の表示２４ｆを設けている。
【００１３】
また、前記枡本体１２の下部には、高さ調整用の支持部４１が設けられている。この支持部４１は、枡本体１２を支持するための長方形状の支持板４２と、該支持板４２の四隅部に設けられたジャッキボルト４３とを有しており、各ジャッキボルト４３の下端には接地部４４が設けられている。各ジャッキボルト４３は、支持板４２の両長辺に対向するように設けられた深溝４５及び浅溝４６にそれぞれ水平方向から挿入されており、支持板４２を挟むようにして固定ナット４７，４８が螺着されている。
【００１４】
このように形成された宅内排水枡１０は、前記支持部４１により高さ調整されて建物の床下に設置され、各排水設備１６〜１９からの各排水支管２０〜２３は、可撓性管継手２４を介して適当な位置の排水支管接続部２５〜２９にそれぞれ接続される。排水主管接続部１５に可撓性管継手１４を介して接続された排水主管１３は、基礎５２を貫通して建物外に設けられた排水枡５３に接続されている。なお、排水支管接続部２５〜２９に排水支管を接続しない場合は、図３に示すような栓体５１を接続管３２に装着しておけばよい。
【００１５】
宅内排水枡１０の設置に際しては、複数の排水支管接続部２５〜２９が枡本体１２の異なる方向に設けられているので、各排水設備１６〜１９の設置位置の中心付近に宅内排水枡１０を設置することにより、各排水支管２０〜２３の管路長を短くすることができる。また、排水支管接続部２５〜２９を異なる高さに配置しているので、図７に示すように、宅内排水枡１０に対して同じ方向に遠近２箇所の排水設備１７，１８があるときには、宅内排水枡１０に近い排水設備１８からの排水支管２２を枡本体１２の上部に設けられている排水支管接続部２７へ、遠い位置の排水設備１７からの排水支管２１を枡本体１２の下部に設けられている排水支管接続部２６へ、それぞれ接続することにより、長い排水支管２１の水勾配を十分に設定することができ、遠い位置からの排水性が悪化することを防止できる。
【００１６】
さらに、排水支管接続部を上下に高さを異なるように配置したことにより、同一高さに同数の排水支管接続部を放射状に設けた場合に比べて枡本体１２の径を小さくすることができるので、床下への設置も容易に行うことができる。また、枡本体１２に高さ調整用の支持部４１を一体的に設けておくことにより、設置時や補修時のレベル調整も固定ナット４７，４８を回すだけで容易に行うことができ、宅内排水枡１０を設置する場所に大がかりなコンクリート工事等を行う必要もなくなる。さらに、枡本体１２の上部開口に蓋３０を設けておくことにより、枡内の点検や清掃も容易に行うことができる。
【００１７】
【発明の効果】
以上説明したように、本発明の宅内排水枡によれば、宅内排水枡への複数の排水支管の接続を容易に行うことができる。また、コンパクトに形成することができるので、床下への設置も容易である。
【図面の簡単な説明】
【図１】本発明の宅内排水枡の一形態例を示す正面図である。
【図２】同じく平面図である。
【図３】同じく断面側面図である。
【図４】排水主管接続用の可撓性管継手を示す一部断面正面図である。
【図５】排水支管接続用の可撓性管継手を示す断面正面図である。
【図６】宅内排水枡の使用例を示す排水設備の概略平面図である。
【図７】同じく概略正面図である。
【符号の説明】
１０…宅内排水枡、１１…底蓋、１２…枡本体、１３…排水主管、１４…可撓性管継手、１５…排水主管接続部、１６〜１９…排水設備、２０〜２３…排水支管、２４…可撓性管継手、１４ａ，２４ａ…受口、１４ｂ，２４ｂ…バンド装着部、１４ｃ，２４ｃ…厚肉部、２４ｄ…平面部、２４ｅ，２４ｆ…表示、２５〜２９…排水支管接続部、３０…蓋、３１，３２…接続管、３３…バンド、４１…支持部、４２…支持板、４３…ジャッキボルト、４４…接地部、４５…深溝、４６…浅溝、５１…栓体、５２…基礎、５３…排水枡
【図１】
2005023652.tif 000003
【図２】
2005023652.tif 000004
【図３】
2005023652.tif 000005
【図４】
2005023652.tif 000006
【図５】
2005023652.tif 000007
【図６】
2005023652.tif 000008
【図７】
2005023652.tif 000009